(57)【要約】【課題】廃棄時に残留ガスを簡単に排出し得るガスライターを提供する。【解決手段】本体ケース２の底部に、タンク部３に連通する内空状易切断遮蔽部９を突設し、該内空状易切断遮蔽部９を爪切りまたは鋏等の道具により切断することによって、タンク部３内の残留ガスを排出させ得るようにするとともに、該内空状易切断遮蔽部９を被覆するキャップ体１１を、本体ケース２の底部に着脱可能に嵌着するようにした。【選択図】図２
0003123181.tif 000002
【実用新案登録請求の範囲】
【請求項１】
本体ケース内に可燃性液化ガスが充填されるタンク部を備え、かつ該本体ケースの上部に、前記タンク部から気化ガスを吐出させて、該気化ガスに点火する点火操作機構部を備えたガスライターにおいて、
前記本体ケースの底部に、タンク部に連通する内空状易切断遮蔽部が突設されるとともに、該内空状易切断遮蔽部が、本体ケースの底部に着脱可能に嵌着されるキャップ体によって被覆されていることを特徴とするガスライター。
【請求項２】
キャップ体の横断面の外周形状が、本体ケースの横断面の外周形状に一致させて形成され、その相互の外周面が整一に連続するようにして、本体ケースの底部にキャップ体が嵌着されていることを特徴とする請求項１記載のガスライター。
【請求項３】
本体ケースとキャップ体の何れか一方に、単一または複数の凹部が形成され、他方に該凹部と係合して本体ケースとキャップ体との嵌着状態を保持する突部が形成されていることを特徴とする請求項１または請求項２記載のガスライター。
【請求項４】
本体ケース内に可燃性液化ガスが充填されるタンク部を備え、かつ該本体ケースの上部に、前記タンク部から気化ガスを吐出させて、該気化ガスに点火する点火操作機構部を備えたガスライターにおいて、
前記本体ケースの底部に、タンク部と外部とを連通する雌螺子孔からなるガス抜き路が形成され、該ガス抜き路が外部側から前記雌螺子孔に螺着される着脱可能な封止螺子によって遮蔽されていることを特徴とするガスライター。
【考案の詳細な説明】
【技術分野】
【０００１】
本考案は、廃棄時に残留ガスを簡単に排出し得るようにしたガスライターに関する。
【背景技術】
【０００２】
本体ケース内に可燃性液化ガスが充填されるタンク部を備え、かつ該本体ケースの上部に、前記タンク部から気化ガスを吐出させて、該気化ガスに点火する点火操作機構部を備えたガスライターにあって、使い捨てを前提として製造される安価なガスライターが知られている。かかる使い捨てのガスライターは、ガス補給用バルブを備えておらず、タンク部内のガスが使用に伴って減少しても、使用者が新たにガスを補給することができないため、製造時にタンク部に充填された所定量の可燃性液化ガスが殆ど無くなって点火不能となると廃棄されている。
【０００３】
また、タンク部に可燃性液化ガスが十分残っている状態であっても、点火操作機構部の故障によって点火操作ができなくなった場合には、修理されることなく、そのまま廃棄されることとなる。
【考案の開示】
【考案が解決しようとする課題】
【０００４】
ところで、上記のような使い捨てのガスライターにあっては、点火操作機構部の故障で点火不能となり、ガスが十分残っている状態で廃棄する場合は勿論のこと、使用に伴いガスが減少して点火不能となった場合においても、タンク部内にガスが残留しており、このようにタンク部内にガスが残留した状態で廃棄すると、焼却処理やリサイクル時の粉砕処理時に爆発等の不測の事態が発生する虞がある。従って、使用者は残留ガスを完全に排出させてから廃棄することが望ましいが、従来の使い捨てのガスライターには、簡単に残留ガスを排出させ得るガス抜き手段が設けられていないという問題点があった。
【０００５】
本考案は、かかる問題点を解消するためになされたものであり、廃棄時にタンク部内の残留ガスを簡単に排出し得るようにしたガスライターを提供することを目的とするものである。
【課題を解決するための手段】
【０００６】
本考案は、本体ケース内に可燃性液化ガスが充填されるタンク部を備え、かつ該本体ケースの上部に、前記タンク部から気化ガスを吐出させて、該気化ガスに点火する点火操作機構部を備えたガスライターにおいて、前記本体ケースの底部に、タンク部に連通する内空状易切断遮蔽部が突設されるとともに、該内空状易切断遮蔽部が、本体ケースの底部に着脱可能に嵌着されるキャップ体によって被覆されていることを特徴とするガスライターである。
【０００７】
ここで、本発明が適用されるガスライターは、圧電ユニットを備えた電子式ガスライターまたは発火石を備えたフリント式ガスライターの何れであってもよい。また、本体ケースの材質には硬質合成樹脂が好適に用いられ、タンク部は該本体ケースの内部に一体に区画形成され得る。また、タンク部に連通する内空状易切断遮蔽部は、先端が閉塞された細管状の突出部を、本体ケースの底部から下方に突設させることにより、本体ケースと一体に形成され得る。
【０００８】
また、前記キャップ体の横断面の外周形状が、前記本体ケースの横断面の外周形状に一致させて形成され、その相互の外周面が整一に連続するようにして、本体ケースの底部にキャップ体を嵌着する構成が提案される。
【０００９】
さらに、前記本体ケースとキャップ体の何れか一方に、単一または複数の凹部を形成し、他方に該凹部と係合して本体ケースとキャップ体との嵌着状態を保持する突部を形成する構成が提案される。
【００１０】
また、本発明は、本体ケース内に可燃性液化ガスが充填されるタンク部を備え、かつ該本体ケースの上部に、前記タンク部から気化ガスを吐出させて、該気化ガスに点火する点火操作機構部を備えたガスライターにおいて、前記本体ケースの底部に、タンク部と外部とを連通する雌螺子孔からなるガス抜き路が形成され、該ガス抜き路が外部側から前記雌螺子孔に螺着される着脱可能な封止螺子によって遮蔽されていることを特徴とするガスライターである。
【考案の効果】
【００１１】
本発明は、上述したように、本体ケースの底部に、タンク部に連通する内空状易切断遮蔽部が突設されるとともに、該内空状易切断遮蔽部が、本体ケースの底部に着脱可能に嵌着されるキャップ体によって被覆されているガスライターであるから、廃棄時に、爪切りまたは鋏等の道具を適宜用いて、内空状易切断遮蔽部を切り落とす簡単な作業により、タンク部が外部と連通し、該タンク部の残留ガスを即座に大気中に排出させることができる。ここで、内空状易切断遮蔽部の切断には、どこの家庭にもある爪切りまたは鋏等の一般な道具類が使用可能であり、特殊な工具を用意する必要がないため、残留ガスの除去作業を容易かつ無費用で行うことができる。また、内空状易切断遮蔽部が、本体ケースの底部に着脱可能に嵌着されるキャップ体によって被覆されているので、使用者は内空状易切断遮蔽部に対して違和感を生じることなくガスライターを使用することができるとともに、キャップ体の保護作用により、使用中における落下等の衝撃による内空状易切断遮蔽部の不意の切断や破損を防止することができる。さらに、キャップ体によって内空状易切断遮蔽部を覆い隠すことができるので、内空状易切断遮蔽部が目立たず、その外的美観を向上させることができる。
【００１２】
また、前記キャップ体の横断面の外周形状を、前記本体ケースの横断面の外周形状に一致させて形成し、その相互の外周面が整一に連続するようにして、本体ケースの底部にキャップ体を嵌着する構成にあっては、本体ケースとキャップ体の外周面が面一状に連続するので、ガスライターの把持が容易であるとともに、ガスライターのデザイン性を向上させることができる。
【００１３】
さらに、前記本体ケースとキャップ体の何れか一方に、単一または複数の凹部を形成し、他方に該凹部と係合して本体ケースとキャップ体との嵌着状態を保持する突部を形成する構成にあっては、凹部と突部との係脱作用を介して、本体ケースとキャップ体との着脱操作を確実かつ容易に行うことができる。
【００１４】
また、本発明は、本体ケースの底部に、タンク部と外部とを連通する雌螺子孔からなるガス抜き路が形成され、該ガス抜き路が外部側から前記雌螺子孔に螺着される着脱可能な封止螺子によって遮蔽されているガスライターであるから、廃棄時に、ドライバーを用いて封止螺子を弛緩方向へ回転させて取り外す簡単な作業により、タンク部がガス抜き路を介して外部と連通し、該タンク部の残留ガスを即座に大気中に排出させることができる。ここで、封止螺子の取り外しには、どこの家庭にもあるドライバーが使用可能であり、特殊な工具を用意する必要がないため、残留ガスの除去作業を容易かつ無費用で行うことができる。
【考案を実施するための最良の形態】
【００１５】
以下に、本考案にかかるガスライターの第一実施例を、図１〜図３に基づいて説明する。この第一実施例のガスライター１Ａは、ポリプロピレン等の硬質合成樹脂により縦長薄型の略中空箱状に形成された本体ケース２内に、可燃性液化ガスが充填されるタンク部３が一体に区画形成されており、該本体ケース２の上部には、前記タンク部３から気化ガスを吐出させて、該気化ガスに点火する点火操作機構部４が配設されている。
【００１６】
前記点火操作機構部４は、タンク部３の上部と連通する開閉弁５と、該開閉弁５の上部に立設されたガス吐出ノズル６と、蓋体を兼ねた点火操作レバー７と、圧電ユニット８等を備えており、点火操作レバー７の押し下げ操作によって、開閉弁５を開作動してガス吐出ノズル６から気化ガスを吐出させるとともに、圧電ユニット８で高電圧を発生させてガス吐出ノズル６に放電し、その火花によって気化ガスに点火し得るようになっている。尚、点火操作機構部４は、このような圧電式のもの以外に、ヤスリ車と発火石とを備えたフリント式のものであってもよい。
【００１７】
本体ケース２の底部には、図２，図３に拡大して示すように、タンク部３に連通する内空状易切断遮蔽部９が突設されている。該内空状易切断遮蔽部９は、先端が閉塞された細管を本体ケース２から下方に向けて一体に突出させて形成されており、該細管の内空部１０がタンク部３に連通されている。この内空状易切断遮蔽部９は、直径2.5〜3.0mm程度の太さに設定されており、これによって爪切りや鋏によって容易に切断し得るようになっている。
【００１８】
また、本体ケース２の底部には、前記内空状易切断遮蔽部９を被覆するキャップ体１１が着脱可能に嵌着されており、該キャップ体１１によって内空状易切断遮蔽部９を外的衝撃から保護するようにしている。ここで、本体ケース２の底部の外周壁には、キャップ体１１の周壁の厚みに一致する分だけ内方に凹ませた嵌合部１２が形成されており、また、キャップ体１１の横断面の外周形状は、本体ケース２の横断面の外周形状に一致させて形成されている。これにより、前記嵌合部１２にキャップ体１１を外嵌させると、その相互の外周面を整一に連続させ得るようになっている。
【００１９】
さらに、前記嵌合部１２の前後及び左右の周面には、略半球状の突部１３が夫々突成されており、キャップ体１１の内周面には該突部１３と係合可能な凹部１４が夫々形成されている。これにより、嵌合部１２にキャップ体１１を外嵌させると、図１に示すように、各突部１３と凹部１４とが係合され、その係合作用を介して本体ケース２とキャップ体１１との嵌着状態を保持し得るようになっている。尚、本体ケース２とキャップ体１１との嵌着状態を保持できれば、前記突部１３と凹部１４の数及び配設箇所は特に限定されるものではなく、また、突部１３と凹部１４は、その位置関係を逆にして配置することも可能である。
【００２０】
かかる構成からなるガスライター１Ａにあっては、廃棄時に、爪切りまたは鋏等の道具を適宜用いて、内空状易切断遮蔽部９を切断して切り落とすことにより、内空部１０を介してタンク部３が外部と連通し、該タンク部３の残留ガスを即座に大気中に排出させることができる。ここで、内空状易切断遮蔽部９の切断には、どこの家庭にもある爪切りまたは鋏等の一般な道具類が使用可能であり、特殊な工具を用意する必要がないため、残留ガスの除去作業を容易かつ無費用で行うことができる。また、内空状易切断遮蔽部９が、本体ケース２の底部に着脱可能に嵌着されるキャップ体１１によって被覆されているので、使用者は内空状易切断遮蔽部９に対して違和感を生じることなくガスライター１Ａを使用することができるとともに、キャップ体１１の保護作用により、使用中における落下等の衝撃による内空状易切断遮蔽部９の不意の切断や破損を防止することができる。
【００２１】
また、キャップ体１１の横断面の外周形状を、前記本体ケース２の横断面の外周形状に一致させて形成し、その相互の外周面が整一に連続するようにして、本体ケース２の底部にキャップ体１１を嵌着するように構成したので、その嵌着状態において本体ケース２とキャップ体１１の外周面が面一状に連続することとなり、これによって、ガスライター１Ａの把持が容易となるとともに、ガスライター１Ａのデザイン性を向上させることができる。
【００２２】
さらに、前記本体ケース２とキャップ体１１の何れか一方に、単一または複数の凹部１４を形成し、他方に該凹部１４と係合して本体ケース２とキャップ体１１との嵌着状態を保持する突部１３を形成するように構成したので、凹部１４と突部１３との係脱作用を介して、本体ケース２とキャップ体１１との着脱操作を確実かつ容易に行うことができる。
【００２３】
図４，図５は、第二実施例を示し、この第二実施例のガスライター１Ｂは、本体ケース２の底部に、タンク部３と外部とを連通する雌螺子孔からなるガス抜き路１５を形成するとともに、該ガス抜き路１５を外部側から前記雌螺子孔に螺着される着脱可能な封止螺子１６によって遮蔽するようにしたものである。ここで、ガス抜き路１５が形成される本体ケース２の底板部分１７は、前記雌螺子孔を長くして封止螺子１６の螺着力を高め得るように他の部分に比して若干厚く形成されており、また、封止螺子１６には遮蔽を確実にするために環状パッキン１８が外嵌されている。その他、第一実施例と共通する構成部分については第一実施例と同一符号を付して重複説明を省略する。
【００２４】
かかる構成からなるガスライター１Ｂにあっては、廃棄時に、ドライバーを用いて封止螺子１６を弛緩方向へ回転させて取り外す簡単な作業により、タンク部３がガス抜き路１５を介して外部と連通し、該タンク部３の残留ガスを即座に大気中に排出させることができる。ここで、封止螺子１６の取り外しには、どこの家庭にもあるドライバーが使用可能であり、特殊な工具を用意する必要がないため、残留ガスの除去作業を容易かつ無費用で行うことができる。
【図面の簡単な説明】
【００２５】
【図１】本考案にかかるガスライター１Ａの縦断正面図である。
【図２】同上のガスライター１Ａの下半部の縦断拡大正面図である。
【図３】同上のガスライター１Ａの下半部の縦断拡大側面図である。
【図４】封止螺子１６の螺着状態を示す本考案にかかるガスライター１Ｂの下半部の縦断拡大正面図である。
【図５】封止螺子１６の取り外し状態を示す本考案にかかるガスライター１Ｂの下半部の縦断拡大正面図である。
【符号の説明】
【００２６】
１Ａ，１Ｂ  ガスライター
２  本体ケース
３  タンク部
４  点火操作機構部
９  内空状易切断遮蔽部
１１  キャップ体
１３  突部
１４  凹部  
１５  ガス抜き路（雌螺子孔）
１６  封止螺子
【図１】
0003123181.tif 000003
【図２】
0003123181.tif 000004
【図３】
0003123181.tif 000005
【図４】
0003123181.tif 000006
【図５】
0003123181.tif 000007